【手続補正書】
【提出日】平成25年12月11日(2013.12.11)
【手続補正１】
【補正対象書類名】明細書
【補正対象項目名】００１０
【補正方法】変更
【補正の内容】
【００１０】
上記特許文献３に示された包装容器では、内箱の後板に、その後板を切り込み形成して対の折り返し片を設け、相対的に降下移動する蓋起こし手段の折り返された下部を受け止めることを目的とした構造を有している。しかしながら、この包装容器にあっても、開閉蓋となる部分の後辺に連続している蓋起こし手段に上述の引っ張り力が生じて、外箱の胴部の側板が膨らむように変形させ易いものであることには変わりがない。そして、外箱側の係止手段がある外箱の側板と内箱との間の隙間が開いて、蓋起こし手段の下部が外箱の前記側板側に近接すると、折り返し片との係合が形成できなくなる。また、蓋起こし手段の下部が外箱の前記側板側に近接する動きによって、折り返し片が折り戻されてしまい、蓋起こし手段の下部を受け止めできなくなるという可能性がある。
【手続補正２】
【補正対象書類名】明細書
【補正対象項目名】００２３
【補正方法】変更
【補正の内容】
【００２３】
（請求項６の発明の効果）
請求項６の発明によれば、上記外箱の胴部に、内箱の一部分が表出してこの内箱表出部分に対するすり上げ操作が可能とされたスライド操作口が開口しているので、内箱の上げ下げ操作を包装容器を保持している手の指先で行なえるようになり、包装容器から収納物を取り出す操作が簡単になるなどの優れた効果を奏する。
【手続補正３】
【補正対象書類名】明細書
【補正対象項目名】００３１
【補正方法】変更
【補正の内容】
【００３１】
即ち、第一ヒンジ２２を中心とした開閉蓋１２の回動と蓋起こし手段２３の上げ下げとが連動するように設けられており、開閉蓋１２が開方向に回動すると、前記蓋起こし手段２３は内箱３の後側板１５に対して相対的に下方に移動するものである（図９、図１０）。折り返しを行なった内箱係止手段２５の形状は、後述する外箱係止手段を受け止めるものであればよく、以下の各実施の形態に見られるように折りによって鈎状の部位が形成できるものであればよい。
【手続補正４】
【補正対象書類名】明細書
【補正対象項目名】００３４
【補正方法】変更
【補正の内容】
【００３４】
（係止手段）
図９、図１０は内箱３の後側板１５を容器外方から見た状態での上記蓋起こし手段２３を示している。図示されているように蓋起こし手段２３では上記第三ヒンジ２７の下において両側に脚状部２８があり、脚状部２８の下縁間に亘るようにして内箱係止手段２５が配置されている。前記内箱係止手段２５は、脚状部２８の下縁にある折り罫から蓋起こし手段２３の下端部を外箱２の後側板７側に折り返してなるものであり、中央の凸部分が外箱２の後側板７の内面に摺接可能に当接する。そして、内箱３を上昇させていない場合には、内箱係止手段２５と外箱係止手段２６とは、容器高さ方向において上下に離れて非係合状態であり、内箱３の上昇に伴って蓋起こし手段２３（内箱係止手段２５）が上方に移動することで外箱係止手段２６と係合する状態となる（図６〜図８）。
【手続補正５】
【補正対象書類名】明細書
【補正対象項目名】００３９
【補正方法】変更
【補正の内容】
【００３９】
上記案内手段３１は上述したように一方の側方の開口部分での開口縁に沿って後側板１５の内面に摺接移動できるように係止していて、少なくとも内箱係止手段２５の案内手段３１が位置している側を内箱３の内方側に位置させている。また、内箱係止手段２５自体は、外箱２の後側板７側であって且つ上方に向けて折り曲げて形成されており、折り位置からぴったりと脚状部２８に密接する状態とはならず、包装材料自体の復元力によって縦断面で略レ状に上方が開いた状態となる（図６〜図８参照）。
【手続補正６】
【補正対象書類名】明細書
【補正対象項目名】００４２
【補正方法】変更
【補正の内容】
【００４２】
外箱係止手段２６も後側板７の上端部の部分の折り戻りの作用を受けて内箱３の後側板１５側に向けて開くように付勢された状態となって、内箱３がセットされても若干開くように設けられている。加えて、その外箱係止手段２６の下部中央の部分が、蓋起こし手段２３における上記脚状部２８の間の開口部分に位置して、前記下部中央の部分が僅かならも内箱の内方に向けて偏倚し易いように設けられている。
【手続補正７】
【補正対象書類名】明細書
【補正対象項目名】００４３
【補正方法】変更
【補正の内容】
【００４３】
上述したように蓋起こし手段２３の折り返されてなる内箱係止手段２５が外箱２側であって上方に僅かに開き、下向きに折られた舌片からなる外箱係止手段２６が内箱３側であって下方に僅かに開いているため、内箱３を上昇させることにより両係止手段の中央となっている部分が相互に相手の係止手段内に入り込むようになる（図７）。
【手続補正８】
【補正対象書類名】明細書
【補正対象項目名】００５３
【補正方法】変更
【補正の内容】
【００５３】
本包装容器１では上述のように内箱３を上昇させることで開閉蓋１２が開いて内箱３の取り出し口１１から収納物を取り出すことができる。そして、上昇した内箱３を降ろすには上記スライド操作口１０を通して内箱３の前側板１３をすり下ろす操作をすればよい。このとき、まず蓋起こし手段２３（内箱係止手段２５）と外箱係止手段２６とが係合した状態で内箱本体の部分が降下し、第一ヒンジ２２の位置が下がるので、開閉蓋１２が閉方向に回動する。そして、前記開閉蓋１２の回動と外箱２の後側板７の上端部に案内されながら蓋起こし手段２３の上部部分（第二ヒンジ２４と第三ヒンジ２７の間）が起き、さらに内箱３が降下することで、内箱係止手段２５と外箱係止手段２６との係合が解かれることとなり、内箱３の底面板１７と外箱２の底面板９とが接して内箱３の降下が止まり、開閉蓋１２も閉じた状態で外箱２の出し入れ口４に位置することとなる。
【手続補正９】
【補正対象書類名】明細書
【補正対象項目名】００５８
【補正方法】変更
【補正の内容】
【００５８】
（外箱ブランク）
図１１と図１２とは包装容器１の外箱２と内箱３のブランク４０、４１を示していて、それぞれ箱外方となる面が見えるように図示されている。図１１に示すように、外箱２にあっては、前側板５と底面板９と後側板７とが連接されており、前記後側板７には右側板６を得るための右側板パネル６ａ、左側板８を得るための左側板パネル８ａが連接され、前側板５には右側板６を得るための右側板パネル６ｂ、左側板８を得るための左側板パネル８ｂが連接されている。そして、右側板パネル６ａと左側板パネル８ａに連接しているフラップ６ｃ、８ｃを底面板９に重ねながら、右側板パネル６ａの外面側に右側面パネル６ｂを重ねるとともに、左側板パネル８ａの外面側に左側面パネル８ｂを重ねていて、所要の板同士の接合面を貼り合わせて前側板５と後側板７とが相対した直方体状で上部開放の外箱２の基本部分が形成される。
【手続補正１０】
【補正対象書類名】明細書
【補正対象項目名】００６１
【補正方法】変更
【補正の内容】
【００６１】
（内箱ブランク）
図１２のブランク４１に示すように内箱３は、前側板１３と底面板１７と後側板１５とが連接され、後側板１５には左側板１６を得るための左側板パネル１６ａ、右側板１４を得るための右側板パネル１４ａが連接され、前側板１３には左側板１６を得るための左側板パネル１６ｂ、右側板１４を得るための右側板パネル１４ｂ、前側板１３を内面側から補強する当てパネル１３ａが連接されている。そして、左側板パネル１６ｂと右側板パネル１４ｂに連接のフラップ１６ｃ、１４ｃを底面板１７に重ねながら、左側板パネル１６ａの外面側に左側板パネル１６ｂを重ねるとともに、右側板パネル１４ａの外面側に右側板パネル１４ｂを重ねていて、所要の板同士の接合面を貼り合わせて前側板１３と後側板１５とが相対した直方体状の内箱３の箱としての基本部分を形成している。当てパネル１３ａは折り返されて前側板１３の内面に重ね合わされている。
【手続補正１１】
【補正対象書類名】明細書
【補正対象項目名】００７７
【補正方法】変更
【補正の内容】
【００７７】
（第五の実施の形態）
図２２から図２４は第五の実施の形態を示している。第五の実施の形態での内箱係止手段２５は、蓋起こし手段２３の幅方向でこの蓋起こし手段２３の中心側にして外箱２側へ折り返した折り返し片４３の上端部４３ａからなり、その上端部４３ａの形状によって係止機能が付与されてなるものである。図示されているように蓋起こし手段２３の両側に配された折り返し片４３の上端部４３ａは、折り元から外端部側にかけて上方に向けて傾斜していて、この内箱係止手段２５それぞれが蓋起こし手段２３の中心側に折り返されていることで脚状部２８から前記上端部４３ａにかけて略レ字状の係止部分となり、この略レ状とした係止部分が内箱係止手段２５として形成されている。
【手続補正１２】
【補正対象書類名】明細書
【補正対象項目名】００８０
【補正方法】変更
【補正の内容】
【００８０】
上述したように内箱係止手段２５を一体として有する折り返し片４３は、外箱２の後側板７の内面に当接して内箱係止手段２５を内箱３の後側板１５の内面側に位置するように付勢しているものであり、内箱係止手段２５を一体とした折り返し片４３自体が案内手段３１を兼ねている。即ち、前記折り返し片４３に外箱係止手段２６が係止した状態で蓋起こし手段２３が下方に相対移動した際に、内箱係止手段２５とこれに係合している外箱係止手段２６とを後側板１５の内面側へと案内するように設けられている。
【手続補正１３】
【補正対象書類名】明細書
【補正対象項目名】００８１
【補正方法】変更
【補正の内容】
【００８１】
この第五の実施の形態において、降下する外箱係止手段２６が当接するストッパー３０は折り返し片４３を切り込み形成して折り起こしたことにより得られる開口部分の下縁側の切り込み縁からなるものである。よって、この第五の実施の形態でも上記実施の形態と同じく内箱係止手段２５の高さ位置の下方に前記ストッパー３０が切り込み縁を上端縁として形成されていて、蓋起こし手段２３の左右であって内箱３の側辺側へ偏倚した位置にある。このように左右のストッパー３０の間が開いているが、勿論、ストッパー３０の最外端間隔であるストッパーの長さより外箱係止手段２６の幅は大きいものである。
【手続補正１４】
【補正対象書類名】図面
【補正対象項目名】図２１
【補正方法】変更
【補正の内容】
【図２１】
2013159351.tif 000001
【手続補正１５】
【補正対象書類名】図面
【補正対象項目名】図２４
【補正方法】変更
【補正の内容】
【図２４】
2013159351.tif 000002